(57)【特許請求の範囲】
【請求項１】
弾性的に撓む材料から成る、皮膚に着用するための圧迫衣類であって、部分的に、圧迫のための手段が設けられており、前記圧迫のための手段が、ウェブ（３）により形成されていて、該ウェブが皮膚（２）に面した側に設けられており、前記ウェブ（３）が、ほぼ三角形の断面形状を有していて、人間の脚部の下腿部を前記三角形の先端部（３１）で圧迫するように配置されていることを特徴とする、皮膚に着用するための圧迫衣類。
【請求項２】
前記ウェブ（３）が、材料厚さを高めることにより生ぜしめられている、請求項１記載の圧迫衣類。
【請求項３】
前記ウェブ（３）が、規則的な間隔を置いて配置されている、請求項１または２記載の圧迫衣類。
【請求項４】
前記ウェブ（３）が、コーティング（７）を備えている、請求項１から３までのいずれか１項記載の圧迫衣類。
【請求項５】
前記ウェブ（３）が、中断部（３４）を有している、請求項１から４までのいずれか１項記載の圧迫衣類。
【請求項６】
前記ウェブ（３）が、水平方向に方向付けされている、請求項１から５までのいずれか１項記載の圧迫衣類。
【請求項７】
前記ウェブ（３）が、鉛直方向に方向付けされている、請求項１から５までのいずれか１項記載の圧迫衣類。
【請求項８】
前記ウェブ（３）が、螺旋状に方向付けされている、請求項１から５までのいずれか１項記載の圧迫衣類。
【発明の詳細な説明】
【技術分野】
【０００１】
本発明は、弾性的に撓む材料から成る、皮膚に着用するための圧迫衣類に関する。
【０００２】
圧迫衣類は、外部から身体への圧力を生ぜしめる。圧迫ストッキングでは、たとえば、包囲された脚の組織への圧力が形成される。この場合、圧迫ストッキングは、加えられる圧力が、上方から下方に向かって組織圧に相応して重力の方向で増大するように製造されている。圧迫衣類が加える圧力は、治療の種類に応じて選択可能である。衣類から加えられる圧力は、圧迫クラスに分類されている。
【０００３】
圧迫衣類の使用は、医学的、美容的もしくは予防的な使用に分類可能である。医学的な使用では、たとえば静脈瘤、下肢静脈血栓症等が処置される。圧迫衣類が身体に僅かな圧力しか加えない予防的な使用では、たとえば「旅行者血栓症」が処置されるか、または圧迫衣類は、継続的に立ち仕事をする人のためのサポートとして使用される。予防的な使用により、たとえば長時間のフライトでの血栓症のリスクを著しく低減させることができる。さらに、圧迫衣類、特に圧迫ストッキングは、スポーツ、たとえばノルディック・ウォーキングまたはマラソンで使用される。
【０００４】
公知の圧迫衣類は、身体へ面状の圧力を加える。これによって、たしかに均等な圧力分配が生ぜしめられているが、しかし、このことは同時に血液供給の抑制を生ぜしめる。このことは、たしかに医学的な使用では望ましいことであり得る。しかし、予防的な使用、特にスポーツにおいて、このことは下記の理由により望ましくない。
【０００５】
筋肉の活動の結果として、（継続的な）筋肉の負荷時に筋温度が著しく上昇する。血流によって、生成された熱が筋肉から器官へと搬送される。これによって、身体の核心温度が同様に上昇する。この加熱により、皮膚の下の毛細血管が拡張する。このことは、たとえば、強い身体的な負荷時に皮膚が赤くなること、たとえば顔が赤くなること（赤面）の原因となる。血液温度を下げるために、体内で血液再分配が行われる。この場合、酸素豊富な血液が、身体中心部から周縁部へ、つまり冷却が行われる皮膚の方向に移動させられる。血液は、いわば身体の冷却液として働く。公知の圧迫衣類の面状の圧迫は、これに関して不都合に作用する。なぜならば、圧迫に基づいて毛細血管が圧縮されて、これによって血液搬送が減じられているからである。その結果、面状の圧迫は、不十分な冷却に基づく能力低減につながる。
【０００６】
ここで本発明は解決手段を提供しようとする。本発明の根底を成す課題は、確かに公知の圧迫衣類の利点を有しているが、しかし同時に負荷された筋肉への十分な血行を可能にするように血液供給を維持する圧迫衣類を提供することである。
【０００７】
この課題を解決するために、本発明による構成では、部分的に、圧迫のための手段が設けられているようにした。
【０００８】
本発明によれば、確かに圧力を皮膚に加えるが、しかし同時に高い能力を可能にするようにしか筋肉への血液供給を制限しない圧迫衣類が提供される。このことは、部分的にしか行なわれない圧迫によって生ぜしめられる。圧迫手段に隣接した領域では圧迫が行われないので、その領域では影響を受けない血液循環が可能である。このようにして、負荷された筋肉に、内側の器官から搬送される「冷却された」血液を供給することが可能となる。圧迫が生ぜしめられているにも拘わらず、身体の冷却能力は維持されている。これによって、運動選手の能力が著しく改善される。
【０００９】
圧迫のための手段が、ウェブにより形成されていると有利である。ウェブは、皮膚に面した側に設けられている。ウェブは、簡単な形で、部分的な圧迫を生ぜしめる可能性を提供する。さらにウェブは、任意に衣料に配置され得る。
【００１０】
本発明の別の実施形態では、ウェブが、材料厚さを高めることにより生ぜしめられている。これにより簡単な形でウェブの製造が可能となる。材料として織布を使用する場合、材料厚さを高めることは、より大きな直径の糸を使用することにより行われるか、または糸の集積により行われ得る。
【００１１】
本発明の別の実施形態では、ウェブが、ほぼ三角形の形状を有している。これにより、ウェブが極めて狭い区分でしか皮膚に当て付けられないことが保証されている。このことは、衣料による単に部分的な圧迫を改善する。
【００１２】
ウェブが、規則的な間隔を置いて配置されていると有利である。これにより、衣料の対称的な形状が生ぜしめられている。このことは、一方では圧迫衣料の効果を高め、他方では製造を簡単にする。
【００１３】
さらに圧迫衣類のウェブが、コーティングを備えていてよい。この場合、種々異なる効果を得るためには、種々異なる材料の使用がコーティングのために考えられ得る。したがって、たとえばコーティングの選択により、抗真菌効果もしくは抗菌効果を得ることができる。同じく、コーティングを意図的に選択することによって摩擦を減じる効果を得ることも可能である。
【００１４】
本発明の別の実施形態では、圧迫のための手段が、織布ストリップにより形成されている。この織布ストリップは、衣料のベース織布とは異なる弾性を有している。これによって、同じく部分的な圧迫が可能となる。同時に、この場合、衣料が平坦な構造を有している。このことは、特定の使用条件下では望ましい。
【００１５】
負荷された筋肉への「冷却された」血液の供給のさらなる改善は、圧迫のための手段が中断部を有していることにより可能である。これによって、一方では圧迫手段に隣接した圧迫が行われない領域において、他方では同じく圧迫が行われていない中断部において、影響を受けない血液循環が行われている。これによって、運動選手の能力はさらに改善される。
【００１６】
本発明の別の実施形態および構成は請求項２以下に記載されている。本発明の実施形態を図面に示し、以下に詳しく説明する。
【図面の簡単な説明】
【００１７】
【図１】ひざ丈ストッキングである圧迫衣類が、人体に配置されている様子を示す側面図である。
【図２】図１に示した圧迫衣類を前から見た図である。
【図３】図４に示す圧迫衣類のＩＩＩ−ＩＩＩ線に沿った断面を示す概略図である。
【図４】鉛直方向の方向付けでウェブの配置を示す原理図である。
【図５】中断部を有する鉛直方向の方向付けのウェブを示す原理図である。
【図６】中断部を有する鉛直方向の方向付けのウェブの別の形態を示す原理図である。
【図７】水平方向の方向付けでウェブの配置を示す原理図である。
【図８】中断部を有する水平方向の方向付けのウェブを示す原理図である。
【図９】中断部を有する水平方向の方向付けのウェブの別の形態を示す原理図である。
【図１０】螺旋状の方向付けのウェブを示す原理図である。
【図１１】中断部を有する螺旋状の方向付けのウェブを示す原理図である。
【図１２】水平方向の方向付けの織布ストリップの別の形態を示す原理図である。
【図１３】水平方向の方向付けで織布ストリップの配置を示す原理図である。
【図１４】本発明による圧迫衣類の部分的な圧迫作用を概略的に示す部分図である。
【図１５】従来技術による圧迫衣類の面状の圧迫作用を概略的に示す部分図である。
【００１８】
圧迫衣類の実施形態として選択された衣料１は、ひざ丈ストッキング（Kniestrumpf）の形で形成されている。このひざ丈ストッキングは、人間の脚部の下腿部に配置されている。ひざ丈ストッキングは、筒部１１と足部分１２とを有している。足部分１２とは反対の側の端部に、バンド１３が設けられている。
【００１９】
圧迫衣料１には、部分的に、圧迫のための手段が設けられている。圧迫手段に隣接した領域では圧迫が行われない。この圧迫が行われない領域では、影響を受けない血液循環が可能である。
【００２０】
図３〜図１１に示した圧迫衣料１では、圧迫のための手段が隆起部もしくはウェブ３により形成されている。これらのウェブ３は、皮膚２に面した側に設けられている。ウェブ３は、本実施形態では規則的な間隔を置いて配置されている。図３から判るように、ウェブ３は、衣料１の材料厚さを高めることにより生ぜしめられている。材料が織布である限り、材料厚さを高めることは、ウェブの領域の織布を製造するためにより大きな直径の糸を使用することにより生ぜしめられていてよい。ウェブ３の領域でより多数の糸を使用することも可能であり、これにより高められた材料厚さが生じる。
【００２１】
ウェブ３は、横断面で見てほぼ三角形の形状を有しているので、先端部３１が生ぜしめられている。この先端部３１は皮膚２に接触している。先端部３１には、２つの脚部３２が続いている。これらの脚部３２は、ウェブ３の基部（Basis）３３にまで延びている。基部３３は、この実施形態では、ウェブ３の最も大きな幅を形成している。さらに、基部３３は、同時にひざ丈ストッキングとして形成された衣料１の残りの材料への移行部を形成している。
【００２２】
衣料１の材料は、圧迫衣料のために通常使用される、弾性的に撓む材料から製造されている。材料は、全ての方向Ｘ，ＹおよびＺで弾性的に形成されている。材料は、特に、圧迫作用を皮膚２の方向で加える。ウェブ３によって形成された材料補強によって、皮膚２の方向で加えられる材料の圧迫力によって、図３に皮膚２の波形の形状により示されているように、皮膚２への先端部３１の圧力が形成される。
【００２３】
図１２および図１３では、圧迫のための手段が織布ストリップ８により形成されている。この織布ストリップ８は、衣料のベース織布とは異なる弾性を有している。これによって、互いに異なる圧迫作用を有する軟らかい織布ストリップと硬い織布ストリップとが、交互に設けられている。衣料の、隣接し合う織布ストリップ８の間に使用されるベース織布は圧迫作用を有していない。圧迫作用を有する織布ストリップもしくは圧迫作用を有しない織布ストリップを交互に使用することにより、部分的な圧迫が生ぜしめられている。
【００２４】
圧迫のための手段３，８は、中断部３４，８１を有している（図５，６，８，９，１１，１３を参照）これによって、負荷された筋肉への「冷却された」血液の供給をさらに改善することが可能である。すなわち、中断部３４，８１では、圧迫手段３，８に隣接した領域において可能であるような、影響を受けない血液循環が行われ得る。
【００２５】
圧迫のための手段３，８の配向もしくは方向付けは、ほぼ任意に行うことができる。例示的に図４〜図１３には、圧迫のための手段の種々異なる方向付けが図示されている。図４〜図６に示した単純な鉛直方向の方向付けの他に、水平方向の方向付けの可能性も生じる（図７〜９および図１２，１３を参照）。図１０，１１に図示されているような、圧迫のための手段３，８の螺旋状の方向付けも可能である。全ての方向付けに共通しているのは、圧迫作用を有する領域が、圧迫作用を有しない領域と交互に配置されていることである。これによって、本発明による部分的な圧迫が生ぜしめられている。図面から判るように、手段３，８の方向付けとは無関係に、中断部３４，８１が設けられている。この中断部３４，８１は、本発明による作用を付加的に強化する。
【００２６】
図１４および図１５には、本発明による部分的な圧迫作用が、先行技術による面状の圧迫作用と概略的に対比されている。この場合、皮膚２内に、圧迫の範囲が線４によって示されている。皮膚２の圧迫が、各ウェブ３の領域もしくは織布ストリップ８の領域だけで行われていることが判る。これらの箇所では、皮膚２が明るい色のままであるのに対して、各ウェブ３もしくは織布ストリップ８間の領域では皮膚２が赤みを帯びる。皮膚が赤くなることは、各ウェブ３もしくは織布ストリップ８間の領域における改善された血行を明確にする。このことは、身体的な負荷時に拡張する毛細血管５によって生じる。
【００２７】
ウェブ３もしくは織布ストリップ８は、単に点状もしくはストリップ状に皮膚２に載置されているので、図１４から判るように、皮膚２の下に位置する毛細血管５はほとんど圧迫されていない。これに対して、面状の圧迫を伴う先行技術から公知の衣料では、毛細血管５の圧縮が生ぜしめられている（図１５参照）。このことは、結果として血行の悪化をもたらす。図１５に示された先行技術による圧迫の図からは、線４により示された圧迫の作用が、毛細血管５の位置を考慮せずに均一に延びていることが判る。したがって、毛細血管５が圧縮されていて、このことは、毛細血管５の扁平な楕円形の横断面を生ぜしめる。したがって、先行技術による圧迫衣類では、器官の冷却のために必要な血液循環を維持することができず、このことは人間の能力に不都合に作用する。
【００２８】
ウェブ３もしくは織布ストリップ８間の圧迫されていない毛細血管５に基づいて維持された、皮膚の下での血液循環の可能性は温度交換を可能にする。これによって、器官の冷却が生ぜしめられている。さらに、隣接したウェブ３と、皮膚２と、衣料１の材料との間の領域に生ぜしめられ、かつ符号「６」で示されたトンネル状の構造により、皮膚２で発生した熱を搬出する可能性が生じる。さらに、ウェブ３の間の領域の衣料１と皮膚２との間の間隔は、衣料が汗で濡れることを阻止する。むしろ、ウェブ３の先端部３１の領域のみで衣料１と皮膚２との接触が生じるので、この領域でしか衣料が湿らせられない。このようにして、本発明による衣料の着用快適性は付加的に高められる。
【００２９】
さらに、着用快適性は、ウェブ３がコーティング７を備えていることにより高められる。このコーティング７は、種々異なる種類であってよい。特に、抗真菌性もしくは抗菌性の作用が得られる機能性コーティング、たとえば高い金含量もしくは銀含量を有するコーティングを使用することができる。しかし、別のコーティング、たとえばポリテトラフルオロエチレンを使用することもできる。商品名「テフロン」で知られているこの材料は、特に良好な滑り特性により優れている。このことは、ウェブ３のためのコーティングとしての使用時に、衣類１と皮膚２との摩擦が明らかに減じられているようにする。このことは、同じく着用快適性の向上に貢献する。
【００３０】
上記で本発明を例示的にひざ丈ストッキングにつき説明したが、本発明はこの物に制限されるものではない。むしろ、本発明は圧迫衣料として使用可能な全ての衣料に利用することができる。圧迫衣料は、実施例で説明したひざ丈ストッキングの他に、タイツ、アームスリーブ、シャツおよびオーバオールも含む。これらの圧迫衣料も、本発明の思想に包含されている。
【図１】
0005721629.tif 000002
【図２】
0005721629.tif 000003
【図３】
0005721629.tif 000004
【図４】
0005721629.tif 000005
【図５】
0005721629.tif 000006
【図６】
0005721629.tif 000007
【図７】
0005721629.tif 000008
【図８】
0005721629.tif 000009
【図９】
0005721629.tif 000010
【図１０】
0005721629.tif 000011
【図１１】
0005721629.tif 000012
【図１２】
0005721629.tif 000013
【図１３】
0005721629.tif 000014
【図１４】
0005721629.tif 000015
【図１５】
0005721629.tif 000016